(57)【要約】【課題】規定の位置までダミーデータを記録することで、使い勝手の良い情報記録再生装置ならびにそのシステムを提供する。【解決手段】情報記録再生装置が、上位装置からの記録要求に応じて行った情報記録媒体に対するユーザデータの記録が終了した場合に記録終了位置が規定の位置に達していなければ、該規定の位置までダミーデータを書き込む。【選択図】図２
2006351202.tif 000002
【特許請求の範囲】
【請求項１】
上位装置と、該上位装置からの要求に応じて情報記録媒体に対して情報の記録および再生を行う情報記録再生装置と、を備えた情報記録再生システムであって、
前記上位装置は、前記情報記録再生装置にユーザデータの記録要求を出し、
前記情報記録再生装置は、前記上位装置からのデータ記録要求に応じて前記情報記録媒体にユーザデータの記録を行い、ユーザーデータの記録が終了した場合、記録終了位置が規定の位置に達していなかったとき、該規定の位置までダミーデータを書き込む
ことを特徴とする情報記録再生システム。
【請求項２】
前記情報記録媒体は、リードイン領域、ユーザーデータ領域、リードアウト領域が形成されるものであり、
前記情報記録再生装置は、前記規定の位置までダミーデータを書き込んだ後、前記情報記録媒体に前記リードアウト領域を形成することを特徴とする請求項１に記載の情報記録再生システム。
【請求項３】
上位装置と、該上位装置からの要求に応じて情報記録媒体に対して情報の記録および再生を行う情報記録再生装置と、を備えた情報記録再生システムであって、
前記情報記録媒体は、リードイン領域、ユーザーデータ領域、リードアウト領域が形成されるものであり、
前記上位装置は、前記情報記録再生装置にユーザデータの記録要求を出し、
前記情報記録再生装置は、前記上位装置からのデータ記録要求に応じて前記ユーザデータ領域に対してユーザデータの記録を行い、ユーザーデータの記録が終了した場合、記録終了位置が規定の位置に達していなかったとき、該規定の位置まで前記リードアウト領域を形成する
ことを特徴とする情報記録再生システム。
【請求項４】
前記リードアウト領域の大きさは前記上位装置を通じてユーザが選択できることを特徴とする請求項３に記載の情報記録再生システム。
【請求項５】
前記リードアウト領域の大きさ選択は、前記上位装置が生成したＧＵＩ画面を通じてユーザに行わせることを特徴とする請求項４に記載の情報記録再生システム。
【請求項６】
前記情報記録媒体は、データの上書きが可能な記録媒体であることを特徴とする請求項１ないし５のいずれか一項に記載の情報記録再生システム。
【請求項７】
前記情報記録媒体は、ＤＶＤ＋ＲＷであることを特徴とする請求項６に記載の情報記録再生システム。
【請求項８】
前記情報記録再生装置は、前記情報記録媒体が挿入された場合、フォーマットの初期化処理を終えた後、前記上位装置からのデータの記録再生を受付可能にして、バックグラウンドで前記情報記録媒体の内周側からデータの未記録領域にダミーデータを記録するバックグランドフォーマット処理を行うことを特徴とする請求項７に記載の情報記録再生システム。
【請求項９】
前記情報記録媒体に形成されたリードアウト領域は、一時的なリードアウト領域である請求項２ないし８のいずれかの一項に記載の情報記録再生システム。
【発明の詳細な説明】
【技術分野】
【０００１】
本発明は、ＣＤ−Ｒ／ＲＷ、ＤＶＤ−Ｒ／ＲＷ、ＤＶＤ＋ＲＷ／Ｒ等の光ディスク、ＭＯ等光磁気ディスク、ＨＤやＦＤ等磁気ディスク、メモリカード等、コンピュータシステムの中で交換可能な情報記録媒体を使用する場合に適し、特に、バックグラウンドフォーマットを中断して情報記録媒体を取り出す際や、データ領域の中に作成されるリードアウト領域の記録に用いて好適な、情報記録再生システムに関する。
【背景技術】
【０００２】
情報記録媒体を用いたファイルシステムに、ユニバーサルディスクフォーマット(ＵＤＦ： Universal・Disc・Format)がある。ＵＤＦは、様々なデバイス上で使用され、それぞれのデバイスの特徴を生かした記録フォーマットを利用しているファイルシステムである。特に、ＣＤ−ＲＷやＤＶＤ＋ＲＷはデータの上書きが可能であるため、データの記録再生をランダムに行えるＵＤＦが採用されている。
【０００３】
ところで、ＣＤ−ＲＷの場合、データの記録再生をランダムに行うためには、記録領域の全面あるいは指定領域に対してあらかじめダミーデータで記録を行うフォーマット処理を行う必要がある。また、ＤＶＤ＋ＲＷ／−ＲＷの場合も、従来のＤＶＤ−ＲＯＭ（読み取り専用）ドライブとの互換性を必要とすれば、ある程度の半径まで未記録領域をダミーデータで埋める必要がある。
【０００４】
更に、ライトワンス媒体であるＣＤ−Ｒ／ＤＶＤ−Ｒ／ＤＶＤ＋Ｒに関しても、フォーマットと呼ぶ動作はないものの、再生装置での再生互換性を考慮した場合、途中に未記録部の無い、連続した領域に記録させてある必要がある。こちらも同様で、ある程度の長さで、未記録領域に何らかの記録処理を行って記録の終了を示す必要がある。この有効なユーザデータでない外周の記録部のことをリードアウト領域と呼んでいる。
【０００５】
このように、フォーマット処理によれば、情報記録媒体の全面あるいは指定領域をダミーデータで埋め尽くすため、フォーマット処理に要する時間は情報記録媒体の大容量化に比例して増大してしまう問題がある。このような問題に対し、例えば、特許文献１「光ディスク記録再生装置と光ディスク記録再生方法とコンピュータ読み取り可能な記録媒体」に開示されてあるように、フォーマット処理をバックグラウンドで行い、フォーマット要求後、短時間でユーザが要求するデータの記録再生を可能にする情報記録再生装置が提案されている。ここに開示された内容は、ＣＤ−ＲＷディスクにおけるバックグラウンドフォーマットに関するものであるが、ＤＶＤ＋ＲＷディスクにおいても同様のバックグラウンドフォーマットが提案されている。
【０００６】
バックグラウンドフォーマットでは、ユーザからのデータ記録再生要求がない時間を使用して、未記録(フォーマット)領域をダミーデータで埋める処理を行う。バックグラウンドフォーマット中、ユーザからデータ記録再生要求が発生した場合、フォーマット処理を中断して、ユーザ要求によるデータ記録再生を行う。このように、バックグラウンドフォーマット中は、ユーザが要求するデータ記録再生と、バックグラウンドフォーマットによるダミーデータの記録を並行して行う必要がある。
【０００７】
また、バックグラウンドフォーマット中、フォーマット完了前にユーザが情報記録再生装置から情報記録媒体を取り出すことが可能である。情報記録媒体を取り出す際には、データ記録領域に続いて一時的なリードアウト(テンポラリリードアウト)を記録することで、取り出したディスクを従来のDVD-ROMドライブなどで読み出すことが可能となる。テンポラリリードアウトは、情報記録媒体がここまで記録したというマークのような領域で、ピックアップ（記録再生ヘッド）の未記録部への不必要な移動を防ぎ、光学系を保護する役割もある。装置の物理的な動作に関わるため、それなりの大きさが必要である。
【０００８】
テンポラリリードアウトは、バックグラウンドフォーマット、もしくはユーザ要求によるデータ記録を行った領域のうち、最も外周に位置する領域の終了アドレスから記録される。テンポラリリードアウトを記録した情報記録媒体に対しては、ユーザ要求によりテンポラリリードアウト開始位置からフォーマットを再開することが可能となっている。
【特許文献１】特開平１１−１３４７９９号公報
【発明の開示】
【発明が解決しようとする課題】
【０００９】
上記したように、ＣＤ−ＲＷの場合、データの記録再生をランダムに行うためには、記録領域の全面あるいは指定領域に対してあらかじめダミーデータで記録を行うフォーマット処理を行う必要がある。また、ＤＶＤ＋ＲＷ／−ＲＷの場合も、従来のＤＶＤ−ＲＯＭ（読み取り専用）ドライブとの互換性を必要とすれば、ある程度の半径まで未記録領域をダミーデータで埋める必要がある。
【００１０】
更に、ライトワンス媒体であるＣＤ−Ｒ／ＤＶＤ−Ｒ／ＤＶＤ＋Ｒに関しても、フォーマットと呼ぶ動作はないものの、再生装置での再生互換性を考慮した場合、途中に未記録部の無い、連続した領域に記録させてある必要がある。こちらも同様で、ある程度の長さで、未記録領域に何らかの記録処理を行って記録の終了を示す必要がある。
【００１１】
本発明は上記事情に鑑みてなされたものであり、他の装置において読み取り可能になり、情報記録媒体の互換性を向上させることが可能とする情報記録再生システムを提供することを目的とする。
【課題を解決するための手段】
【００１２】
上述した課題を解決するためになされた請求項１記載の発明は、上位装置と、該上位装置からの要求に応じて情報記録媒体に対して情報の記録および再生を行う情報記録再生装置と、を備えた情報記録再生システムであって、前記上位装置は、前記情報記録再生装置にユーザデータの記録要求を出し、前記情報記録再生装置は、前記上位装置からのデータ記録要求に応じて前記情報記録媒体にユーザデータの記録を行い、ユーザーデータの記録が終了した場合、記録終了位置が規定の位置に達していなかったとき、該規定の位置までダミーデータを書き込むことを特徴とする情報記録再生システムに存する。
【００１３】
請求項２記載の発明は、前記情報記録媒体は、リードイン領域、ユーザーデータ領域、リードアウト領域が形成されるものであり、前記情報記録再生装置は、前記規定の位置までダミーデータを書き込んだ後、前記情報記録媒体に前記リードアウト領域を形成することを特徴とする請求項１に記載の情報記録再生システムに存する。
【００１４】
請求項３記載の発明は、上位装置と、該上位装置からの要求に応じて情報記録媒体に対して情報の記録および再生を行う情報記録再生装置と、を備えた情報記録再生システムであって、前記情報記録媒体は、リードイン領域、ユーザーデータ領域、リードアウト領域が形成されるものであり、前記上位装置は、前記情報記録再生装置にユーザデータの記録要求を出し、前記情報記録再生装置は、前記上位装置からのデータ記録要求に応じて前記ユーザデータ領域に対してユーザデータの記録を行い、ユーザーデータの記録が終了した場合、記録終了位置が規定の位置に達していなかったとき、該規定の位置まで前記リードアウト領域を形成することを特徴とする情報記録再生システムに存する。
【００１５】
請求項４記載の発明は、前記リードアウト領域の大きさは前記上位装置を通じてユーザが選択できることを特徴とする請求項３に記載の情報記録再生システムに存する。
【００１６】
請求項５記載の発明は、前記リードアウト領域の大きさ選択は、前記上位装置が生成したＧＵＩ画面を通じてユーザに行わせることを特徴とする請求項４に記載の情報記録再生システムに存する。
【００１７】
請求項６記載の発明は、前記情報記録媒体は、データの上書きが可能な記録媒体であることを特徴とする請求項１ないし５のいずれか一項に記載の情報記録再生システムに存する。
【００１８】
請求項７記載の発明は、前記情報記録媒体は、ＤＶＤ＋ＲＷであることを特徴とする請求項６に記載の情報記録再生システムに存する。
【００１９】
請求項８記載の発明は、前記情報記録再生装置は、前記情報記録媒体が挿入された場合、フォーマットの初期化処理を終えた後、前記上位装置からのデータの記録再生を受付可能にして、バックグラウンドで前記情報記録媒体の内周側からデータの未記録領域にダミーデータを記録するバックグランドフォーマット処理を行うことを特徴とする請求項７に記載の情報記録再生システムに存する。
【００２０】
請求項９記載の発明は、前記情報記録媒体に形成されたリードアウト領域は、一時的なリードアウト領域である請求項２ないし８のいずれかの一項に記載の情報記録再生システムに存する。
【発明の効果】
【００２１】
本願の発明によれば、他の装置において読み取り可能になり、情報記録媒体の互換性を向上させることが可能である。
【発明を実施するための最良の形態】
【００２２】
図１は、本発明の情報記録再生装置の実施形態を示すブロック図である。ここでは、情報記録媒体に内周から外周へのスパイラル状のトラックを持つ光ディスク、光ディスクドライブが例示されている。
【００２３】
図１に示されるように、光ディスクドライブは、光ディスク１０を回転させるモータ１１、光ピックアップ１２を光ディスク１０の半径方向に移動させる粗動モータ１３、光ピックアップ１２とその各制御系（回転制御系１４、粗動モータ制御系１５、ピックアップ制御系１６、信号処理系１７）から構成される。
【００２４】
光ディスク１０から読み出されるデータはキャッシュメモリ１８に蓄えられ、コントローラ１９および外部インターフェースを介して図示せぬ上位装置に転送される。上位装置から送信されたデータは、キャッシュメモリ１８を経由して光ディスク１０に記録される。
【００２５】
また、コントローラ１９は、後述するように、バックグラウンドフォーマットの中断、再開、テンポラリリードアウト記録などの制御を行う。コントローラ１９は、レジスタや不揮発ＲＡＭを含み、各種設定データを保持することができる。コントローラ１９は、具体的にはＣＰＵならびにメモリを含む周辺ＬＳＩで構成され、ＣＰＵがメモリに記録されたプログラムを逐次読み出し実行することにより、上記した各制御を行う。また、図示せぬ上位装置とは外部インターフェースを介して通信を行い、例えば、後述するように、上位装置によって生成されるＧＵＩ画面を受信してユーザに選択を促し、選択結果を通信によって上位装置に伝える機能も合わせ持つ。通信は、上位装置がコマンドを発行し、図示した光ディスクドライブがそれに答えることで行う。（本明細書では、このようにコマンドを送信する装置を上位装置という。）
【００２６】
図２は本発明実施形態の動作を説明するために引用した図であり、具体的には、光ディスク１０としてＤＶＤ＋ＲＷを用いた場合の、バックグラウンドフォーマットによるダミーデータの記録と、ユーザ要求によるデータ記録再生、テンポラリリードアウト記録の例が示されている。最近の情報記録媒体は物理的な位置に依存しないように一次元的なアドレスが割り振られているので直線的に表現されている。
【００２７】
図１に示す光ディスクドライブにブランクディスク（ＤＶＤ＋ＲＷ）が挿入された場合、フォーマットの初期化処理でリードイン領域の一部だけを記録してユーザからのデータ記録再生を可能にし、バックグラウンドフォーマットにより、内周からデータ未記録領域をダミーデータで記録していく（図２（ａ）)。
【００２８】
ユーザからデータ記録再生要求があった場合、バックグラウンドフォーマット処理を停止し、ユーザデータの記録再生を行う（図２（ｂ）)。ユーザが要求したデータ記録再生が終了し、ディスク取り出し要求を受けた時、規定された位置に達していなかったら、その位置までダミーデータ、または、ここからリードアウトを書込む（図２（ｃ）)。
【００２９】
ユーザからバックグラウンドフォーマットの中断要求があった場合、終了アドレスよりテンポラリリードアウトを記録してフォーマットを中断する。ここで、図２（ｃ）においてバックグラウンドフォーマットの再開は光ディスクドライブに依存しているため、フォーマット中断要求で記録されるテンポラリリードアウト位置は、図２（ｂ）でユーザデータを記録し終わった位置とは限らない。図２（ｄ）ではじめて、テンポラリリードアウトを付加することで確定する。
【００３０】
上記したように、テンポラリリードアウトをどの程度記録するかが、ユーザあるいは光ディスクドライブが動的に判断するためのポイントである。図２（ｅ）は、本来のリードアウトを越えてデータを書込めるようになった様子を示す。リードアウトは、多くの場合最小限だけ指定されているが、それ以上に記録されていることが多い。互換性、再生可能性は低下するが、それでも容量を稼ぎたいことがある。
【００３１】
図３、図４は、本発明により情報が記録された情報記録媒体の一例を示す図である。リードアウト領域の大きさを固定的にしていると、図３に示す例と比較すれば、図４に示す例では半径方向に対してリードアウトが狭くなってしまう。すると再生可能性が低下するばかりでなく、光ピックアップ１２を傷める可能性もある。
【００３２】
そこで、最後の記録位置に応じて、リードアウトの大きさを大きくできるようにすれば、半径位置が変わってもある程度のリードアウト幅を期待できる。
【００３３】
以上説明のように、幾つかのリードアウトを可変にする場合でも幾つか選択肢があることが分かる。そこで、あらかじめ、その選択肢を選んでおき、自動的にその選択したリードアウト付加を行うようにすることが考えられる。
【００３４】
このようにすれば、いちいち選択動作を行わなくても望みの仕様で動作する光ディスクドライブが得られる。情報記録媒体の使われ方が決っており、比較的環境が固定されているときはこのような光ディスクドライブが便利である。
【００３５】
更に、光ディスク１０をイジェクト（取り外し）する時に、選択肢を提示し、選ばせるという方法も考えられる。これは、内容は同じでも光ディスク１０を不特定の相手に渡すような場合、相手に応じた選択が可能である。あるいは情報記録後にならないと決定しないような時には便利である。
【００３６】
また、上記したように複数の選択肢があるとき、それを表示して選択するのはユーザの利便性の点から重要である。最近はコンピュータを利用するためのＧＵＩ（Graphical・User・Interface）が発達し、ダイアログボックスやウィンドウといったものが簡単に表示できるようになった。ところが、選択肢に対して動作の詳細を記述してもユーザが全てを理解するとは限らない。
【００３７】
そこで、装置動作によらずに、分かりやすい言葉を提示することでユーザビリティの向上がはかれる。図５にそのダイヤログ表示（ＧＵＩ画面）の一例が示されている。
【００３８】
ここでは、「互換性を優先する。」を選ぶと、規定位置までのリードアウト書込み、規定幅のリードアウト書込みなどを行う。逆に、「取り出しの速さを優先する。」を選ぶと、現在記録されている最大のアドレスで最小限長のリードアウト書込みを行う。更に、少しでも記録容量を稼ぎたい場合は、本来のリードアウトよりも短い記録しか行わないような選択もありうる。この場合は、「ＬｅａｄＯｕｔ容量削減を許可する。」を選択する。
【００３９】
図示せぬ上位装置は、上記したＧＵＩ画面を生成し、ユーザの理解を得やすい言葉を提示して何れかを選択してもらったり、優先あるいは重視する項目にチェックをしてもらうことで光ディスクドライブの動作を変えるように構成することが可能となる。
【００４０】
以上説明のように本発明によれば、リードアウト領域の長さを可変にすることで、使い勝手の良い情報記録再生装置ならびにそのシステムを提供することができ、例えば、互換性を向上させるためには規格で推奨されているような長さや位置を満たすようなテンポラリリードアウトを記録し、あるいは、取り出し時間を短くするためには最小限の短いリードアウトを記録するもので、更に、少しでも記録容量を稼ぎたい場合は、本来のリードアウトよりも短い記録しか行わないような選択もありうる。
【００４１】
なお、本発明は上記実施形態に限定されるものではない。即ち、本発明の骨子を逸脱しない範囲で種々変形して実施することができる。
【図面の簡単な説明】
【００４２】
【図１】本発明の情報記録再生装置の実施形態を示すブロック図である。
【図２】本発明実施形態の動作を説明するために引用した図である。
【図３】本発明により情報が記録された情報記録媒体の一例を示す図である。
【図４】本発明により情報が記録された情報記録媒体の一例を示す図である。
【図５】本発明によるダイヤログ表示の一例を示す図である。
【符号の説明】
【００４３】
１０    光ディスク
１１    モータ
１２    光ピックアップ
１３    粗動モータ
１４    回転制御系
１５    粗動モータ制御系
１６    ピックアップ制御系
１７    信号制御系
１８    キャッシュメモリ
１９    コントローラ
【図１】
2006351202.tif 000003
【図２】
2006351202.tif 000004
【図３】
2006351202.tif 000005
【図４】
2006351202.tif 000006
【図５】
2006351202.tif 000007